(57)【要約】【課題】共通のネットワークリソースに異なるプロテクション方式を共存させることができるようにし、これにより運用上の便宜の向上を図った伝送システムおよびノード装置を提供する。【解決手段】高次パスであるＡＵ−３パスのそれぞれごとにＳＯＨを割り当て、全てのＡＵ−３パスのＳＯＨをバイトインタリーブすることで高次のＳＴＭ−Ｎ信号のＳＯＨを形成する。ノード内部においては各ＡＵ−３パスごとのＳＯＨを分離し、分離したＳＯＨに記述される情報を読み取ると共に、ＳＯＨの各バイト領域に各パスの管理情報を記述することで各パスを個別に管理できるようにしている。【選択図】    図４
2004320347.tif 000002
【特許請求の範囲】
【請求項１】
複数の時分割多重信号が規定のフレーム構造のもとで階層的に多重される伝送信号のオーバヘッド領域に定義される切替制御バイトを用いてセクション切り替えを実施する伝送システムにおいて、
前記複数の時分割多重信号ごとに前記切替制御バイトを定義し、当該複数の時分割多重信号に対応するパスごとに前記セクション切り替えを実施する手段を具備することを特徴とする伝送システム。
【請求項２】
前記複数の時分割多重信号のオーバヘッド領域をバイトインタリーブして前記伝送信号のオーバヘッド領域を形成する手段を具備することを特徴とする請求項１に記載の伝送システム。
【請求項３】
前記複数の時分割多重信号ごとのオーバヘッド領域の少なくとも前記切替制御バイトを連続する複数の伝送信号フレームのオーバヘッド領域に個々に対応付けてマルチフレーム化することを特徴とする請求項１に記載の伝送システム。
【請求項４】
複数の時分割多重信号が規定のフレーム構造のもとで階層的に多重される伝送信号のオーバヘッド領域に定義される切替制御バイトを用いてセクション切り替えを実施する切替手段を備えるノード装置において、
前記伝送信号から前記複数の時分割多重信号を分離する分離手段と、
この分離手段で分離された時分割多重信号のフレームのオーバヘッド領域にそれぞれ定義されるセクション切替え用の切替制御バイトに記される切替制御情報を読み取る読み取り手段と、
前記複数の時分割多重信号のそれぞれのフレームのオーバヘッド領域ごとに前記切替制御バイトを定義し、この定義された切替制御バイトに前記切替制御情報を書き込む書き込み手段と、
この書き込み手段により前記切替制御情報の書き込まれた複数の時分割多重信号を前記フレーム構造に従って多重する多重手段とを具備し、
前記切替手段は、前記読み取り手段により読み取られた切替制御情報をもとに前記複数の時分割多重信号に対応するパスごとにセクション切り替えを実施することを特徴とするノード装置。
【請求項５】
前記多重手段は、前記複数の時分割多重信号の互いのオーバヘッド領域をバイトインタリーブして前記伝送信号のオーバヘッド領域を形成することを特徴とする請求項４に記載のノード装置。
【請求項６】
前記多重手段は、前記複数の時分割多重信号ごとの切替制御バイトを前記伝送信号のオーバヘッド領域に規定されるＮＵ（Ｎａｔｉｏｎａｌ  Ｕｓｅ）バイトに多重することを特徴とする請求項５に記載のノード装置。
【請求項７】
前記多重手段は、連続する複数の伝送信号フレームのオーバヘッド領域に前記複数の時分割多重信号ごとの切替制御バイトを対応付けてマルチフレーム化することを特徴とする請求項４に記載のノード装置。
【請求項８】
前記多重手段は、前記複数の時分割多重信号ごとの切替制御バイトを同期するための同期用バイトを前記伝送信号フレームのオーバヘッド領域に設定することを特徴とする請求項７に記載のノード装置。
【発明の詳細な説明】
【０００１】
【発明の属する技術分野】
本発明は、ＳＤＨ（Ｓｙｎｃｈｒｏｎｏｕｓ  Ｄｉｇｉｔａｌ  Ｈｉｅｒａｒｃｈｙ）／ＳＯＮＥＴ（Ｓｙｎｃｈｒｏｎｏｕｓ  Ｏｐｔｉｃａｌ  Ｎｅｔｗｏｒｋ）などの規格に準拠する伝送システムと、この伝送システムで使用されるノード装置に関する。
【０００２】
【従来の技術】
この種の伝送システムでは、現用系リソースと予備系リソースとが設けられ、障害の発生時には現用系リソースを流れるサービストラフィックを予備系リソースに退避させることで情報伝送回線を保護できるようになっている。この種のプロテクション機能は、ＳＤＨにおいてはＡＰＳ（Ａｕｔｏｍａｔｉｃ  Ｐｒｏｔｅｃｔｉｏｎ  Ｓｗｉｔｃｈｉｎｇ）と称して知られている。
【０００３】
ＡＰＳによる切り替えにはネットワークの形態や規模などに応じてＳＮＣ−Ｐ（ＳｕｂＮｅｔｗｏｒｋ  Ｃｏｎｎｅｃｔｉｏｎ  −  Ｐｒｏｔｅｃｔｉｏｎ）やＭＳ−ＳＰＲｉｎｇ（Ｍｕｌｔｉｐｌｅｘ  Ｓｅｃｔｉｏｎ  −  Ｓｈａｒｅｄ  Ｐｒｏｔｅｃｔｉｏｎ  Ｒｉｎｇ）などの種々の方式があり、各方式ともＫバイトと称される制御情報を利用して動作する。ＡＰＳの詳しい処理手順は、ＩＴＵ（Ｉｎｔｅｒｎａｔｉｏｎａｌ  Ｔｅｌｅｃｏｍｍｕｎｉｃａｔｉｏｎ  Ｕｎｉｏｎ）から頒布されるＩＴＵ−Ｔ（Ｔｅｌｅｃｏｍｍｕｎｉｃａｔｉｏｎ  Ｓｔａｎｄａｒｄｉｚａｔｉｏｎ  Ｓｅｃｔｏｒ  ｏｆ  ＩＴＵ）勧告Ｇ．８４１やＧ．７８３などに記載される。
【０００４】
なお、この種の技術に関する情報を開示する文献に下記の特許文献１がある。この文献には、ＳＴＭ信号フレームにより伝送されるＶＣに付加されるＰＯＨに位相差検出用の信号を挿入して二つの経路で伝送し、受信側で現用予備の位相差を吸収してＶＣの切替を行い、複数のＶＣに対する切替を同時に行うことで、ＶＣ単位だけでなくセクション単位の切替も可能とする伝送装置が開示される。
【０００５】
【特許文献１】
特開平９−１３５２２８号公報
【０００６】
【発明が解決しようとする課題】
ところで、Ｋバイトとしては、セクション単位での切り替えに用いられるＫ１バイトおよびＫ２バイトが、ＳＴＭ−Ｎ（Ｓｙｎｃｈｒｏｎｏｕｓ  Ｔｒａｎｓｆｅｒ  Ｍｏｄｕｌｅ−Ｌｅｖｅｌ  Ｎ）信号のセクションオーバヘッドに唯一割り当てられている。また高次パス単位での切り替えに用いられるＫ３バイトが、高次パスオーバヘッドに唯一割り当てられている。さらに、低次パス単位での切り替えに用いられるＫ４バイトが、低次パスオーバヘッドに唯一割り当てられている。すなわちＫバイトは、複数の多重化単位をまとめた同期転送モジュールごとに一つ定義される。
【０００７】
このことは、複数のプロテクション方式を、例えば１つのセクションに共存させることができないということを意味する。すなわち一つのセクションにおいて異なるプロテクション方式による切り替えを個別に動作させることができない。よって、或る一つのセクションに複数のキャリア（すなわち通信サービスの提供者）の通信帯域が収容されている場合でも、ＡＰＳはセクション単位で一括して動作するため、キャリアごとに異なる切り替え方式を選択することはできない。
【０００８】
従って従来の伝送システムには、キャリアにとってはシステムの運用条件が制限されるという不具合があり、またベンダ（すなわちキャリアへのシステム提供者）にとってはキャリアに対してきめ細かいサービスを提供することが難しいという不具合がある。いずれもキャリア、ベンダ双方の立場を超えて解決せねばならない課題であり、より運用上の便宜の向上を図ったシステムの提供が要望されている。
【０００９】
本発明は上記事情によりなされたもので、その目的は、共通のネットワークリソースに異なるプロテクション方式を共存させることができ、これにより運用上の便宜の向上を図った伝送システムおよびノード装置を提供することにある。
【００１０】
【課題を解決するための手段】
上記目的を達成するために本発明に係わるノード装置は、複数の時分割多重信号（例えばＳＴＭ−１）が規定のフレーム構造のもとで階層的に多重される伝送信号（例えばＳＴＭ−４）のオーバヘッド領域（例えばＳＯＨ）に定義される切替制御バイト（例えばＫバイト）を用いてセクション切り替え（例えばＭＳ−ＳＰＲｉｎｇ）を実施する切替手段（例えばＡＰＳ制御部）を備えるノード装置において、前記伝送信号から前記複数の時分割多重信号を分離する分離手段と、この分離手段で分離された時分割多重信号のフレームのオーバヘッド領域にそれぞれ定義されるセクション切替え用の切替制御バイトに記される切替制御情報を読み取る読み取り手段と、前記複数の時分割多重信号のそれぞれのオーバヘッド領域ごとに前記切替制御バイトを定義し、この定義された切替制御バイトに前記切替制御情報を書き込む書き込み手段と、この書き込み手段により前記切替制御情報の書き込まれた複数の時分割多重信号を前記フレーム構造に従って多重する多重手段とを具備し、前記切替手段は、前記読み取り手段により読み取られた切替制御情報をもとに前記複数の時分割多重信号に対応するパスごとにセクション切り替えを実施することを特徴とする。
【００１１】
このような手段を講じることによりＫバイトはパスごとに定義され、切替手段によりパスごとに個別にセクション切替を実施することが可能になる。これにより一つのセクションに複数のキャリアの回線が収容される場合でも、各キャリア別にセクション切り替え方式を個別に指定して動作させることが可能になる。すなわち共通のネットワークリソースに異なるプロテクション方式を共存させることができるようになり、従ってネットワークの運用上の便宜を向上させることが可能になる。
【００１２】
【発明の実施の形態】
（第１の実施形態）
以下、図面を参照して本発明の実施の形態を詳細に説明する。
図１は、本発明に係わるノード装置が設置されるディジタル信号伝送システムの実施の形態を示すシステム構成図である。本実施形態においてはＳＤＨに準拠する同期伝送システムを想定する。
【００１３】
このシステムは複数のノード装置（以下ノードと称する）＃Ａ〜＃Ｇと、これらのノードをリング状に接続するサービスラインＳＬと、その予備系リソースとしてのプロテクションラインＰＬとを備える。各ノード＃Ａ〜＃Ｇには、例えば交換機や端局装置などの低次群装置１０が低次群ラインＺを介して接続される。
【００１４】
低次群装置１０と各ノード＃Ａ〜＃Ｇとの間で授受される低次群信号は、例えばＳＤＨにおけるＳＴＭ−１（Ｓｙｎｃｈｒｏｎｏｕｓ  Ｔｒａｎｓｆｅｒ  Ｍｏｄｕｌｅ  ｌｅｖｅｌ  −  １），ＳＴＭ−４，ＳＴＭ−１６、あるいはＳＴＭ−６４などの、フレーム構造を有する時分割多重信号である。この低次群信号は各ノード＃Ａ〜＃Ｇにおいて時分割多重され、ＳＴＭ−６４などの高次群信号としてサービスラインＳＬおよびプロテクションラインＰＬに送出される。
【００１５】
各ノード＃Ａ〜＃Ｇにおける高次群信号の送出方向には時計回り（Ｃｌｏｃｋｗｉｓｅ：ＣＷ）方向と反時計回り方向（Ｃｏｕｎｔｅｒ  Ｃｌｏｃｋｗｉｓｅ：ＣＣＷ）との２通りがある。ここでは便宜上、ノード＃ＡにおけるＣＷ方向をＥＡＳＴ側、ＣＣＷ方向をＷＥＳＴ側と称する。また、隣接する一対のノードに挟まれる区間をセクション（Ｍｕｌｔｉｐｌｅｘ  Ｓｅｃｔｉｏｎ）と称する。
【００１６】
各ノード＃Ａ〜＃Ｇには、ネットワーク全体の監視処理、および制御処理を担う監視制御装置２０が接続される。なおシステム設計のニーズに応じて、監視制御装置２０の数は任意である。例えば、一つの監視制御装置２０によりシステム全体を統括的に監視・制御するようにしても良い。
【００１７】
またこのシステムは、サービストラフィックの伝送に係わる障害がサービスラインＳＬに生じた場合に、プロテクションラインＰＬ側の伝送リソースを利用して、当該障害からサービストラフィックを救済するＡＰＳ機能を備える。この機能はセクションを単位として実施される。
【００１８】
ノード＃Ａ〜＃Ｇ間には、システム要求に応じた数の通信パス（以下パスと称する）が任意に設定される。パスは、サービスラインＳＬおよびプロテクションラインＰＬに多重される時分割多重信号にそれぞれ対応する。各パスは監視制御装置２０から任意のノードに与えられるパス設定要求に応じて生成される。なおシステムに障害が生じていない場合に、空きとなるプロテクションラインＰＬ側のリソースにエクストラトラフィックを伝送するためのパスが設定されることもある。
【００１９】
図２は、図１に示されるノード＃Ａの主要部構成を示す機能ブロック図である。なおノード＃Ｂ〜＃Ｇも同様の構成である。ノード＃Ａは、サービス系タイムスロット交換部（ＴＳＡ（ＳＲＶ））３１と、プロテクション系タイムスロット交換部（ＴＳＡ（ＰＲＴ））３２とを備える。タイムスロット交換部３１、３２は、互いに他方の冗長系である。
【００２０】
ＴＳＡ（ＳＲＶ）３１、および、ＴＳＡ（ＰＲＴ）３２は、いずれもサービス系ラインインタフェース部（ＨＳ  Ｉ／Ｆ（ＳＲＶ））１１，１２と、プロテクション系ラインインタフェース部（ＨＳ  Ｉ／Ｆ（ＰＲＴ））１４，１３とに接続される。
【００２１】
ＨＳ  Ｉ／Ｆ（ＳＲＶ）１２は、Ｗｅｓｔ側サービスラインＳＬに接続される。ＨＳ  Ｉ／Ｆ（ＳＲＶ）１１は、Ｅａｓｔ側サービスラインＳＬに接続される。ＨＳ  Ｉ／Ｆ（ＰＲＴ）１４は、Ｗｅｓｔ側プロテクションラインＰＬに接続される。ＨＳ  Ｉ／Ｆ（ＰＲＴ）１３は、Ｅａｓｔ側プロテクションラインＰＬに接続される。
【００２２】
ＨＳ  Ｉ／Ｆ（ＳＲＶ）１１，１２、およびＨＳ  Ｉ／Ｆ（ＰＲＴ）１３，１４のいずれも、リモートセクション（Ｒ−Ｓｅｃｔｉｏｎ）の終端処理と、端局セクション（Ｍ−Ｓｅｃｔｉｏｎ）終端の終端処理とを実施する。ＨＳ  Ｉ／Ｆ（ＰＲＴ）１３はＨＳ  Ｉ／Ｆ（ＳＲＶ）１１の予備系である。またＨＳ  Ｉ／Ｆ（ＰＲＴ）１４はＨＳ  Ｉ／Ｆ（ＳＲＶ）１２の予備系である。
【００２３】
ノードＡ＃は、低次群装置１０に至るチャネル数ｎに応じた数の、低速インタフェース部（ＬＳ  Ｉ／Ｆ）２１〜２ｎを備える。ＬＳ  Ｉ／Ｆ２１〜２ｎは、いずれもＴＳＡ（ＳＲＶ）３１、および、ＴＳＡ（ＰＲＴ）３２に接続される。低次群信号は、低次群装置１０との間で、ＬＳ  Ｉ／Ｆ２１〜２ｎを介して授受される。
【００２４】
低速インタフェース部ＬＳ  Ｉ／Ｆ２１〜２ｎは、主信号現用系インタフェース部（Ｉ／Ｆ（ＳＲＶ））６１と、主信号予備系インタフェース部（Ｉ／Ｆ（ＰＲＴ））６２と、パートタイムトラフィックインタフェース部（Ｉ／Ｆ  （Ｐ／Ｔ））６３とを備える。Ｉ／Ｆ（ＳＲＶ）６１は、サービス回線２０１に接続される。Ｉ／Ｆ（ＰＲＴ）６２は、サービス回線２０２に接続される。Ｉ／Ｆ  （Ｐ／Ｔ）６３は、パートタイム回線２０３に接続される。
【００２５】
サービス回線２０１，２０２はサービストラフィックを伝送する。パートタイム回線２０３は、パートタイムトラフィックを伝送する。いずれの回線も、それぞれの回線を収容する低次群装置１０に接続される。
【００２６】
Ｉ／Ｆ（ＳＲＶ）６１とＩ／Ｆ（ＰＲＴ）６２とは、サービス系スイッチ部（ＰＳＷ（ＳＲＶ））５１を介してＴＳＡ（ＳＲＶ）３１に接続される。またＩ／Ｆ（ＳＲＶ）６１、Ｉ／Ｆ（ＰＲＴ）６２、および、Ｉ／Ｆ  （Ｐ／Ｔ）６３は、プロテクション系スイッチ部（ＰＳＷ（ＰＲＴ））５２を介してＴＳＡ（ＰＲＴ）３２に接続される。Ｉ／Ｆ（ＰＲＴ）６２はＩ／Ｆ（ＳＲＶ）６１の予備系である。
【００２７】
なお、ＴＳＡ（ＳＲＶ）３１、ＴＳＡ（ＰＲＴ）３２、ＨＳ  Ｉ／Ｆ（ＳＲＶ）１１，１２、ＨＳ  Ｉ／Ｆ（ＰＲＴ）１３，１４、Ｉ／Ｆ（ＳＲＶ）６１、Ｉ／Ｆ（ＰＲＴ）６２、および、Ｉ／Ｆ  （Ｐ／Ｔ）６３は、いずれもハードウェア基板上に実装される。これらの基板は故障などの際に取り換えられるように設けられる。また各基板は、それぞれ自己の動作を制御するための動作情報などを記憶するゲートアレイなどの内部メモリ（図示せず）を備える。
【００２８】
ノード＃Ａは、記憶部５に記憶される各種の制御プログラムに基づき、図示しないＣＰＵ（Ｃｅｎｔｒａｌ  Ｐｒｏｃｅｓｓｉｎｇ  Ｕｎｉｔ）などを備える制御部４の制御のもとで動作する。
【００２９】
ところで、制御部４は例えば上記ＣＰＵのソフトウェア処理により実現される処理機能としてのＡＰＳ制御部４ａを備える。ＡＰＳ制御部４ａは、障害などの切替要因の発生に応じてＩ／Ｆ（ＳＲＶ）６１、Ｉ／Ｆ（ＰＲＴ）６２、ＴＳＡ（ＳＲＶ）３１、ＴＳＡ（ＰＲＴ）３２、ＨＳ  Ｉ／Ｆ（ＳＲＶ）１１，１２、およびＨＳ  Ｉ／Ｆ（ＰＲＴ）１３，１４を制御してセクション切替を行う。
【００３０】
特に本実施形態では、ＡＰＳ制御部４ａはＩ／Ｆ（ＳＲＶ）６１、Ｉ／Ｆ（ＰＲＴ）６２、ＨＳ  Ｉ／Ｆ（ＳＲＶ）１１，１２、およびＨＳ  Ｉ／Ｆ（ＰＲＴ）１３，１４から与えられるＫバイト情報を用いて、パスごとに方式の異なるセクション切り替えを実施する。
【００３１】
図３は、図２のＨＳ  Ｉ／Ｆ（ＳＲＶ）１２の構成を示す機能ブロック図である。ＨＳ  Ｉ／Ｆ（ＳＲＶ）１１、ＨＳ  Ｉ／Ｆ（ＰＲＴ）１３，１４も同様の構成である。ＨＳ  Ｉ／Ｆ（ＳＲＶ）１２は、ＳＴＭ信号の入方路にＳＰＩ（ＳＤＨ  Ｐｈｙｓｉｃａｌ  Ｉｎｔｅｒｆａｃｅ）７１と、ＤＭＵＸ（Ｄｅ−Ｍｕｌｔｉｐｌｅｘｅｒ）７２と、複数のＲＳＴ／ＭＳＴ（Ｒｅｇｅｎｅｒａｔｏｒ  Ｓｅｃｔｉｏｎ  Ｔｅｒｍｉｎａｔｉｏｎ  ／  Ｍｕｌｔｉｐｌｅｘ  Ｓｅｃｔｉｏｎ  Ｔｅｒｍｉｎａｔｉｏｎ）８とを備える。
【００３２】
ＳＰＩ７１は、光信号の状態で導入されるＳＴＭ−Ｎ信号を、装置内における処理に供するために電気信号に変換する。ＤＭＵＸ７２はＳＴＭ−Ｎ信号を分離し、多重階層が１段階低いｍ系統のＳＴＭ信号をＲＳＴ／ＭＳＴ８にそれぞれ入力する。例えば入力伝送信号がＳＴＭ−１である場合、３系統のＡＵ（Ａｄｍｉｎｉｓｔｒａｔｉｖｅ  Ｕｎｉｔ）−３信号が生成される。以下ではこの多重化レベルを例として説明する。またＤＭＵＸ７２は、ＳＴＭ−Ｎ信号のＳＯＨにバイトインタリーブされた各ＡＵ−３パスに対応するＳＯＨを個別に分離する。
【００３３】
ＲＳＴ／ＭＳＴ８は、ＳＤＨフレームフォーマットに則して各ＡＵ−３パスに対応するＳＯＨに記述される情報を各パスごとに読み取る。これらの情報には、Ａ１，Ａ２バイトに記述される同期用のビットパターンや、Ｂ２バイトに記述されるビット誤り率、および、Ｋ１，Ｋ２バイトに記述されるセクション切替用の制御情報などがある。
【００３４】
またＨＳ  Ｉ／Ｆ（ＳＲＶ）１２は、ＳＴＭ信号の出方路に複数のＲＳＴ／ＭＳＴ９と、ＭＵＸ（Ｍｕｌｔｉｐｌｅｘｅｒ）１０１と、ＳＰＩ１０２とを備える。ＲＳＴ／ＭＳＴ９は、各ＡＵ−３パスに対応するＳＯＨごとにＫ１，Ｋ２バイト用の領域を定義し、この定義されたＫバイトにセクション切替用の制御情報を書き込む。その内容はシステム内における障害状態などに応じて制御部４により算出され、所定のビットパターンで表される。
【００３５】
ＭＵＸ１０１は、各ＲＳＴ／ＭＳＴ９によりそれぞれＫバイト情報の記述されたＡＵ−３パスをＳＤＨフレームフォーマットに従って多重し、ＳＴＭ信号を生成する。ＳＰＩ１０２は、ＭＵＸ１０１で生成されるＳＴＭ信号を電気信号に変換し、サービスラインＳＬまたはプロテクションラインＰＬを介して隣接するノード装置に伝送する。
【００３６】
図４は、本実施形態におけるＳＴＭ−Ｎ信号のＳＯＨの構成を示す模式図である。この図は、高次パスであるＡＵ−３パスのそれぞれごとにＳＯＨが割り当てられている様子を示している。通常のシステムにおいては、Ｋ１，Ｋ２バイトは、通常の伝送路（Ｓｅｃｔｉｏｎ）切替えを実施するに際してＳＴＭ−Ｎフレーム内にバイトインタリーブされる先頭のＳＴＭ−１構造に割り当てられるＫ１，Ｋ２バイトのみが使用される。これに対して本実施形態では、図４に示すように全てのＡＵ−３パスのＳＯＨをバイトインタリーブするようにする。
【００３７】
図５は、本実施形態におけるＳＴＭ−Ｎ信号のＳＯＨの構成の別の例を示す模式図である。この図には、予めＮＵ（Ｎａｔｉｏｎａｌ  Ｕｓｅ）バイトとして割り当てられている領域に各ＡＵ−３パスのＫ１，Ｋ２バイトを定義した状態が示される。この場合、Ｋ１，Ｋ２バイトの割り当ては結果として図４と同様となる。
【００３８】
図６は、本実施の形態における効果を説明するための概念図である。従来においては図６（ａ）に示されるように、例えば１０Ｇｂｐｓの帯域を持つ伝送路にセクション切替えを適用するには、この１０Ｇｂｐｓの帯域につきただ一つの方式しか適用することができない。
【００３９】
これに対し本実施形態では、図６（ｂ）に示されるように、１０Ｇｂｐｓの帯域を例えば２．５Ｇｂｐｓの帯域ごとに分割し、さらに各帯域ごとに異なるセクション切替え方式によるプロテクションメカニズムを実装することができる。これは、各ＡＵ−３パスごとにＫバイトを定義することにより、各パスごとにＫバイト情報を用いたセクション切替を実施することが可能となることによる。
【００４０】
また本実施形態では、図４に示されるように全てのＡＵ−３パスのＳＯＨをバイトインタリーブしているため、各パスを個別に管理し、帯域をより詳細に管理することが可能となる。これらのことから本実施形態によれば、共通のネットワークリソースを複数の帯域に分割でき、高次パスおよび低次パスにおいても個別にプロテクションメカニズムを適用することが可能となる。なお帯域を分割することにより必要となるＮＵバイトは、ＲＳＴ／ＭＳＴ８，９において任意に設定することができる。
【００４１】
図７は、比較のため従来のネットワーク例を示す図である。図７においては一般的なネットワークコンフィグレーションとして、１伝送路（セクション）あたり２．５Ｇｂｐｓの伝送容量を持つ複数のリングネットワークが、Ｆ局及びＥ局で共通のバックボーンを使用している場合を想定して示す。
【００４２】
従来のノード装置を用いてリングネットワークを構築するには、各ノード装置間の伝送容量を同じにしなければならない。また各セクションにおけるセクション切替方式は区間ごとにただ一つ一括して動作するため、ユーザごとに異なる切替方式を選択することができない。
【００４３】
このため共通バックボーンであるＦ局−Ｅ局間において、２．５Ｇｂｐｓの帯域を異なる４つの波長で収容せざるをえず、ノード装置、および波長多重を行うＷＤＭ装置ともに信号収容のためのインタフェース基板の枚数が多くなる。従ってシステム構成の規模が大きくなることから、コストパフォーマンスが悪化するなどのデメリットが生じる。
【００４４】
図８は、図７の形態のネットワークに対して本発明に係わるノード装置を適用した場合の構成を示す図である。本実施形態においては一つのセクションを複数の帯域に論理的に分割し、かつ各帯域ごとに異なる切り替え方式を設定することができる。これにより例えばＦ局−Ｅ局間に一つの波長で１０Ｇｂｐｓの伝送容量を設け、この容量を時分割多重して４つの帯域に分割するようにすると、Ｆ局−Ｅ局間のインタフェース基板の数を削減でき、かつ、バックボーンの伝送効率を上げることができる。
【００４５】
しかも、既存の技術ではそれぞれのリングネットワークごとに独立したネットワークプロテクションを実現できないのに対し、本実施形態によれば各リングネットワークが持つプロテクションメカニズムをそのまま展開することができる。
【００４６】
さらに本実施形態によれば、キャリアごとに異なるプロテクション方式を自由に選択できることから、ＣｏＳ（Ｃｌａｓｓ  ｏｆ  Ｓｅｒｖｉｃｅ）や、ＶＰＮ（Ｖｉｒｔｕａｌ  Ｐｒｉｖａｔｅ  Ｎｅｔｗｏｒｋ）などのサービスヘの適用を期待できる。すなわち本実施形態によれば、物理的に１本のセクションを複数の帯域に分割し個々に別々の運用を実施できることから、各帯域ごとにグレードの異なるサービスを提供できる。
【００４７】
既存のシステムでは個々のセグメントをベンダが管理することが多かった。しかしながら近年では、各セグメントにおけるプロテクション方式、回線品質、性能情報、障害情報などを各キャリア自身で管理したいという要求が出てきており、本実施形態ではこのような要求にも応えることができる。
【００４８】
以上のように本実施形態では、高次パスであるＡＵ−３パスのそれぞれごとにＳＯＨを割り当て、全てのＡＵ−３パスのＳＯＨをバイトインタリーブすることで高次のＳＴＭ−Ｎ信号のＳＯＨを形成する。ノード内部においては各ＡＵ−３パスごとのＳＯＨを分離し、分離したＳＯＨに記述される情報を読み取ると共に、ＳＯＨの各バイト領域に各パスの管理情報を記述することで各パスを個別に管理できるようにしている。
【００４９】
このように、Ｋ１，Ｋ２バイトを複数の帯域に割り当て、各帯域ごとにＫ１，Ｋ２バイトをそれぞれ検出し解釈することで、分割した帯域ごとに、あるいは高次パスおよび低次パスごとにＩＴＵ−Ｔ勧告Ｇ．８４１、Ｇ．７８３などに記載されるＭＳ  ＳＰＲｉｎｇやＭＳＰなどの切替えメカニズムを個別に実施できる。これらのことから、共通のネットワークリソースに異なるプロテクション方式を共存させることができるようになり、これにより運用上の便宜の向上を図ることが可能になる。
【００５０】
（第２の実施形態）
次に、本発明の第２の実施形態につき説明する。
図９は、図２のＨＳ  Ｉ／Ｆ（ＳＲＶ）１２の他の構成例を示す機能ブロック図である。ＨＳ  Ｉ／Ｆ（ＳＲＶ）１１、ＨＳ  Ｉ／Ｆ（ＰＲＴ）１３，１４も同様の構成である。ＨＳ  Ｉ／Ｆ（ＳＲＶ）１２は、ＳＴＭ信号の入方路にＳＰＩ７１と、ＲＳＴ／ＭＳＴ８と、ＫバイトＭＦ  ＤＭＵＸ１０３とを備える。
【００５１】
ＫバイトＭＦ  ＤＭＵＸ１０３は、連続する複数のＳＴＭ−Ｎ信号フレームのＳＯＨにマルチフレームされたＡＵ−３パスごとのＫバイトを、パスごとに対応付けて抽出する。
またＨＳ  Ｉ／Ｆ（ＳＲＶ）１２は、ＳＴＭ信号の出方路にＫバイトＭＦ  ＭＵＸ１０４と、ＲＳＴ／ＭＳＴ９と、ＳＰＩ１０２とを備える。ＫバイトＭＦ  ＭＵＸ１０４は、連続する複数のＳＴＭ−Ｎ信号フレームのＳＯＨに、複数のＡＵ−３パスごとのＫバイトを対応付けてマルチフレーム化する。その際、ＫバイトＭＦ  ＤＭＵＸ１０３は、各パスに対応するＫバイトを同期させるために、いずれかのＡＵ−３パスに対応するＳＯＨにつき同期用バイトを設定する。なお図９において、ＳＰＩ７１，１０２、および、ＲＳＴ／ＭＳＴ８，９の機能は図３と同様である。
【００５２】
図１０は、本実施形態におけるＳＴＭ−Ｎ信号のＳＯＨの構成例を示す模式図である。従来のセクション切り替え方式において、Ｋ１，Ｋ２バイトはＳＴＭ−Ｎフレーム内でバイトインタリーブされる先頭のＳＴＭ−１構造に割り当てられる。これに対し本実施形態においては、図１０に示されるように、Ｋ１，Ｋ２バイトをマルチフレーム構成とする。すなわち本実施形態では、Ｋ１，Ｋ２バイトを帯域を分割した数だけ時系列的に変化させ、各パスごとにそれぞれ個別に情報を管理できるようにする。これにより本実施形態においても第１の実施形態と同様の効果を得ることが可能になる。
【００５３】
また本実施形態においては、各パスごとのＫバイト情報を複数のＳＴＭ−Ｎフレームにマルチフレームかするようにしているので、ＳＤＨアーキテクチャのもとではより自然なインプリメントを実現でき、現在の勧告により則したかたちでのシステムを構築することが可能になる。
【００５４】
なお、本発明は上記各実施の形態に限定されるものではない。例えば第２の実施形態においてはＫバイトをマルチフレーム化するようにしたが、これに限らず、多のＢ１バイト、Ｅ１バイトなどをマルチフレーム化しても良い。すなわち全ての制御バイトをマルチフレーム化するようにすれば、第１の実施形態と同じ情報量を転送することができる。また第２の実施形態において同期用バイトは複数のフレームに渡り定義することができる。
【００５５】
さらに、Ｋ１，Ｋ２バイトなどの制御情報をＳＯＨでなく、ＳＤＨ伝送フレームのペイロード領域に多重化し、パケットデータとして転送するようにしても良い。このようにするとシステムの拡張性を促すことが可能になる。このほか、本発明の要旨を逸脱しない範囲で種々の変形実施を行うことができる。
【００５６】
【発明の効果】
以上詳しく述べたように本発明によれば、共通のネットワークリソースに異なるプロテクション方式を共存させることができ、これにより運用上の便宜の向上を図った伝送システムおよびノード装置を提供することができる。
【図面の簡単な説明】
【図１】本発明に係わるノード装置が設置されるディジタル信号伝送システムの実施の形態を示すシステム構成図。
【図２】図１のノード＃Ａ〜＃Ｇの主要部構成を示す機能ブロック図。
【図３】図２のＨＳ  Ｉ／Ｆ（ＳＲＶ）１１，１２、ＨＳ  Ｉ／Ｆ（ＰＲＴ）１３，１４の要部構成を示す機能ブロック図。
【図４】本発明の第１の実施形態におけるＳＴＭ−Ｎ信号のＳＯＨの構成例を示す模式図。
【図５】本発明の第１の実施形態におけるＳＴＭ−Ｎ信号のＳＯＨの構成の別の例を示す模式図。
【図６】本発明の実施の形態において得られる効果を説明するための概念図。
【図７】比較のため従来のネットワーク例を示す図。
【図８】図７の形態のネットワークに対して本発明に係わるノード装置を適用した場合の構成を示す図。
【図９】図２のＨＳ  Ｉ／Ｆ（ＳＲＶ）１１，１２、ＨＳ  Ｉ／Ｆ（ＰＲＴ）１３，１４の要部の他の構成例を示す機能ブロック図。
【図１０】本発明の第２の実施形態におけるＳＴＭ−Ｎ信号のＳＯＨの構成例を示す模式図。
【符号の説明】
ＳＬ…サービスライン、ＰＬ…プロテクションライン、Ｚ…低次群ライン、４…制御部、４ａ…ＡＰＳ制御部、５…記憶部、８，９…ＭＳＴ、１０…低次群装置、１１，１２…サービス系ラインインタフェース部、１４，１３…プロテクション系ラインインタフェース部、２０…監視制御装置、２１〜２ｎ…低速インタフェース部、３１…サービス系タイムスロット交換部、３２…プロテクション系タイムスロット交換部、５１…サービス系スイッチ部、５２…プロテクション系スイッチ部、６１…主信号現用系インタフェース部、６２…主信号予備系インタフェース部、６３…パートタイムトラフィックインタフェース部、７１，１０２…ＳＰＩ、７２…ＤＭＵＸ、１０１…ＭＵＸ、１０３…ＫバイトＭＦ  ＤＭＵＸ、１０４…ＫバイトＭＦ  ＭＵＸ、２０１，２０２…サービス回線、２０３…パートタイム回線
【図１】
2004320347.tif 000003
【図２】
2004320347.tif 000004
【図３】
2004320347.tif 000005
【図４】
2004320347.tif 000006
【図５】
2004320347.tif 000007
【図６】
2004320347.tif 000008
【図７】
2004320347.tif 000009
【図８】
2004320347.tif 000010
【図９】
2004320347.tif 000011
【図１０】
2004320347.tif 000012